(57)【要約】【課題】速やかに組立てることができる上、畦道の補強機能及び排水溝機能を備えた、排水溝を兼備える畦道補強組立構造を提供する。【解決手段】排水溝を兼備える畦道補強組立構造は複数の基板１０を備える。基板１０は、水平にそれぞれ配置される。基板１０の一方の両辺は延伸した側板１１を有する。基板１０の他方の両辺は横向きに形成された位置規制バンプ１３及び接続凹溝１４を有する。側板１１の両辺には縦向きに形成された係合凸部１５及び係合凹部１６がそれぞれ形成される。係合凸部１５と係合凹部１６とが対応する箇所には、第１の位置決めフランジ及び２つの第２の位置決めフランジがそれぞれ形成される。互いに隣接した基板１０と側板１１とが突合わされると、第１の位置決めフランジが２つの第２の位置決めフランジ間に位置決めされ、開口が下向きのコ字状の畦道又は開口が上向きのコ字状の排水溝に組み合わされる。【選択図】図３
0003201405.tif 000002
【実用新案登録請求の範囲】
【請求項１】
複数の基板を備える排水溝を兼備える畦道補強組立構造であって、
前記基板は、水平にそれぞれ配置され、
前記基板の一方の両辺は、延伸した側板を有し、
前記基板の他方の両辺は、横向きに形成された位置規制バンプ及び接続凹溝を有し、
前記側板の両辺には、縦向きに形成された係合凸部及び係合凹部がそれぞれ形成され、
前記係合凸部と前記係合凹部とが対応する箇所には、第１の位置決めフランジ及び２つの第２の位置決めフランジがそれぞれ形成され、
互いに隣接した前記基板と前記側板とが突合わされると、前記第１の位置決めフランジが前記２つの第２の位置決めフランジ間に位置決めされ、開口が下向きのコ字状の畦道又は開口が上向きのコ字状の排水溝に組み合わされることを特徴とする排水溝を兼備える畦道補強組立構造。
【請求項２】
複数の基板及び複数のカバープレートを備えた排水溝を兼備える畦道補強組立構造であって、
前記基板は、水平にそれぞれ配置され、
前記基板の両辺は、上方へ延びた２つの側板を有し、
前記基板及び前記２つの側板の縦断面は、開口が上向きのコ字状を呈し、前記基板と前記２つの側板とにより画成された空間内部は中空状であり、排水溝として用い、前記基板の他方の両辺には、互いに対応した複数の位置規制バンプ及び接続凹溝が形成され、前記２つの側板には、前記位置規制バンプ及び前記接続凹溝に対応するように縦向きに形成された２つの係合凸部及び係合凹部が形成され、前記２つの係合凸部の外縁には、前記第１の位置決めフランジが設けられ、前記２つの係合凹部の外縁には、２つの第２の位置決めフランジが設けられ、互いに隣接する前記基板と前記側板とを突合わせると、前記第１の位置決めフランジが前記２つの第２の位置決めフランジ間に位置決めされて互いに係合し合い、前記基板と前記側板とが横方向で外れることを防ぎ、
前記カバープレートのサイズは、前記基板と等しく、
前記カバープレートの両辺には、前記２つの側板に対応するように横向きに形成された２つの結合凹溝が設けられ、前記カバープレートが蓋設されると、前記２つの結合凹溝を利用して前記２つの側板上に結合されることを特徴とする排水溝を兼備える畦道補強組立構造。
【請求項３】
複数の基板と、複数のアセンブリと、複数のストッパ板と、を備えた排水溝を兼備える畦道補強組立構造であって、
前記基板は、水平にそれぞれ配設され、前記基板の一方の両辺は、上方へ延びた２つの側板を有し、前記基板及び前記２つの側板の縦断面は、開口が上向きのコ字状を呈し、前記基板と前記２つの側板とにより画成された空間内部は中空状であり、前記排水溝として用い、前記基板の他方の両辺には、互いに対応した複数の位置規制バンプ及び接続凹溝が形成され、前記２つの側板には、前記位置規制バンプ及び前記接続凹溝に対応するように縦向きに形成された２つの係合凸部及び係合凹部が形成され、前記２つの係合凸部の外縁には、第１の位置決めフランジが設けられ、前記２つの係合凹部の外縁には、２つの第２の位置決めフランジが設けられ、互いに隣接する前記基板と前記側板とを突合わせると、前記第１の位置決めフランジが前記２つの第２の位置決めフランジ間に位置決めされて互いに係合し合う状態となり、前記基板と前記側板とが横方向で外れることを防ぎ、
前記アセンブリの４辺の４隅には、垂直に配置された４つの組立ピンが設けられ、前記組立ピンの２つの外側辺には、２つの組立凹溝が形成され、前記２つの組立凹溝は、前記２つの側板の前記２つの係合凹部を組み合わせて一体化するために用い、前記組立ピンの２つの内側辺には、前記ストッパ板を組立てるために用いる２つの組立凸リブが設けられ、
前記ストッパ板の両辺には、前記アセンブリの前記２つの組立凸リブに対応するように２つの組立凹リブが設けられ、前記ストッパ板の前記２つの組立凹リブが上から下方向へかけて前記アセンブリの前記２つの組立凸リブ中に挿設されることを特徴とする排水溝を兼備える畦道補強組立構造。
【請求項４】
前記基板は、前記２つの側板に対して垂直に配設されることを特徴とする請求項１、２又は３に記載の排水溝を兼備える畦道補強組立構造。
【請求項５】
前記基板の表面には、複数の滑り止め部が設けられることを特徴とする請求項１、２又は３に記載の排水溝を兼備える畦道補強組立構造。
【請求項６】
前記基板の位置決めバンプと前記接続凹溝とは、波状を呈して対称に形成されることを特徴とする請求項１、２又は３に記載の排水溝を兼備える畦道補強組立構造。
【請求項７】
前記２つの側板の前記２つの係合凹部は、前記基板の内側面に形成された２つの弧状面に対応することを特徴とする請求項１、２又は３に記載の排水溝を兼備える畦道補強組立構造。
【請求項８】
前記カバープレートの表面は、格子状に形成された排水孔を有することを特徴とする請求項２又は３に記載の排水溝を兼備える畦道補強組立構造。
【考案の詳細な説明】
【技術分野】
【０００１】
本考案は、速やかに組立てることができ、畦道の補強機能及び排水溝機能を備えた、排水溝を兼備える畦道補強組立構造に関する。
【背景技術】
【０００２】
図１に示すように、従来、田んぼの周囲と田んぼの間には、畦道及び排水溝が設けられる。その主な用途は、稲その他の農作物を植えるのに便利なように、田んぼの周囲と田んぼの間にかんがい用水が流通される。畦道１は、その上を人が歩いて稲その他の農作物の成長状況を見回ったり、苗を運んだり、農薬及び肥料を撒いたりするのに利用される。
【０００３】
従来の畦道１及び排水溝は、田んぼの泥土及び土壌により構築されていたため、畦道の表面が濡れると滑りやすく、滑って転んだり歩くのが困難（特に雨が降った後）となったりする上、農作業を行う者が畦道上を歩く際、畦道が崩れて泥土が流失してしまう虞があった。さらに、泥土及び土壌により構築された畦道及び排水溝には、雑草が生える上、農作業を行う者が除草作業をしなければならず、手間と時間がかかる上、ねずみ、蛇及び害虫が発生し易く、以上述べたような問題点を解決する技術が求められていた。
【考案の概要】
【考案が解決しようとする課題】
【０００４】
本考案の主な目的は、基板の一方の両辺が延伸した側板を有し、基板の他方の両辺が横向きに形成された位置規制バンプ及び接続凹溝を有し、前記側板の両辺には、縦向きに形成された係合凸部及び係合凹部がそれぞれ形成され、係合凸部と係合凹部とが対応する箇所には、第１の位置決めフランジ及び２つの第２の位置決めフランジがそれぞれ形成され、互いに隣接した基板と側板とが突合わされると、第１の位置決めフランジが２つの第２の位置決めフランジ間に位置決めされ、基板と側板とが横方向で外れることを防ぎ、開口が下向きのコ字状畦道を速やかに組立てることができる上、開口が上向きのコ字状排水溝を速やかに組立てて泥土を覆い、泥土が崩れて流失することを防ぐとともに、雑草が生い茂ることを抑え、除草にかかる手間と時間を減らし、ねずみ、蛇及び害虫が発生することを防ぐことができる、排水溝を兼備える畦道補強組立構造を提供することにある。
【図面の簡単な説明】
【０００５】
【図１】従来の畦道を示す断面図である。
【図２】本考案の一実施形態に係る排水溝を兼備える畦道補強組立構造を示す斜視図である。
【図３】本考案の一実施形態に係る排水溝を兼備える畦道補強組立構造を示す分解斜視図である。
【図４】本考案の一実施形態に係る排水溝を兼備える畦道補強組立構造の使用状態の説明図である。
【図５】本考案の一実施形態に係る排水溝を兼備える畦道補強組立構造を示す斜視図である。
【図６】本考案の一実施形態に係る排水溝を兼備える畦道補強組立構造を示す分解斜視図である。
【図７】本考案の一実施形態に係る排水溝を兼備える畦道補強組立構造を示す断面図である。
【図８】図７の線Ｂ−Ｂに沿った断面図及びＲ部分の拡大図である。
【図９】本考案の一実施形態に係る排水溝を兼備える畦道補強組立構造の使用状態の説明図である。
【図１０】本考案の一実施形態に係る排水溝を兼備える畦道補強組立構造の排水溝が十字状に形成された状態を示す斜視図である。
【図１１】本考案の一実施形態に係る排水溝を兼備える畦道補強組立構造の排水溝が十字状に形成された状態を示す分解斜視図である。
【図１２】本考案の一実施形態に係る排水溝を兼備える畦道補強組立構造の排水溝が十字状に形成された状態を示す断面図である。
【図１３】本考案の一実施形態に係る排水溝を兼備える畦道補強組立構造の排水溝がＴ字状に形成された状態を示す斜視図である。
【図１４】本考案の一実施形態に係る排水溝を兼備える畦道補強組立構造の排水溝がＬ字状に形成された状態を示す斜視図である。
【図１５】本考案の一実施形態に係る排水溝を兼備える畦道補強組立構造の排水溝が口字状に形成された状態を示す斜視図である。
【考案を実施するための形態】
【０００６】
図２及び図３を参照する。図２は、本考案の一実施形態に係る排水溝を兼備える畦道補強組立構造を示す斜視図である。図３は、本考案の一実施形態に係る排水溝を兼備える畦道補強組立構造を示す分解斜視図である。図２及び図３に示すように、本考案の一実施形態に係る排水溝を兼備える畦道補強組立構造は、基板１０を含む。各基板１０は水平にそれぞれ配置される。基板１０の一方の両辺は、下方へ延びて垂直に配設された２つの側板１１を有する。基板１０及び２つの側板１１の縦断面は、開口が下向きのコ字状を呈する。基板１０と２つの側板１１とにより画成された空間内部は中空状である。基板１０の表面には、その上を通る者が滑って転ぶことを防ぐために摩擦力が高い複数の滑り止め部１２が設けられる。基板１０の他方の両辺には、波状を呈して対称に配置された複数の位置規制バンプ１３及び接続凹溝１４が形成される。２つの側板１１の一辺には、位置規制バンプ１３に対応するように縦向きに形成された２つの係合凸部１５が設けられる。２つの側板１１の他辺には、接続凹溝１４に対応するように縦向きに配置された２つの係合凹部１６が設けられる。２つの係合凸部１５の外縁には、第１の位置決めフランジ１７が設けられる（図８のＲ部分の拡大図を参照）。２つの係合凹部１６の外縁には、２つの第２の位置決めフランジ１８が設けられ（図８のＲ部分の拡大図を参照）、互いに隣接する基板１０と側板１１とを突合わせると、第１の位置決めフランジ１７が２つの第２の位置決めフランジ１８間に位置決めされて互いに係合し合う状態となり、基板１０と側板１１とが横方向で外れることを防ぎ、２つの係合凹部１６には、基板１０の内側面に形成された２つの弧状面１９が対応する。
【０００７】
上述した各部材を組み合わせて形成した本考案に係る排水溝を兼備える畦道補強組立構造の実際の操作について、以下説明する。
【０００８】
図４を参照する。図４は、本考案の一実施形態に係る排水溝を兼備える畦道補強組立構造の使用状態の説明図である。ユーザが複数の基板１０と側板１１とを突合わせ、上から下方向へかけて田んぼへ挿設して敷設すると畦道が完成する。本実施形態の排水溝を兼備える畦道補強組立構造は、泥土を覆って泥土が崩れて流失することを防ぐとともに、雑草が生い茂ることを抑え、除草にかかる手間と時間を減らし、基板１０表面に設けられた滑り止め部１２を利用して摩擦力を高め、その上を通る者が滑って転んでしまうことを防ぐことができる。
【０００９】
図５〜図９を参照する。図５は、本考案の一実施形態に係る排水溝を兼備える畦道補強組立構造を示す斜視図である。図６は、本考案の一実施形態に係る排水溝を兼備える畦道補強組立構造を示す分解斜視図である。図７は、本考案の一実施形態に係る排水溝を兼備える畦道補強組立構造を示す断面図である。図８は、図７の線Ｂ−Ｂに沿った断面図と、Ｒ部分の拡大図である。図９は、本考案の一実施形態に係る排水溝を兼備える畦道補強組立構造の使用状態の説明図である。図５〜図９に示すように、本考案の一実施形態に係る排水溝を兼備える畦道補強組立構造は、少なくとも複数の基板１０と、複数のカバープレート２０と、複数のアセンブリ３０と、複数のストッパ板４０とから構成されてなる。
【００１０】
各基板１０は、水平にそれぞれ配設される。基板１０の一方の両辺は、上方へ延びて垂直に配置された２つの側板１１を有する。基板１０及び２つの側板１１の縦断面は、開口が上向きのコ字状を呈する。基板１０と２つの側板１１とにより画成された空間内部は中空状である。基板１０の表面には、その上を通る者が滑って転ぶことを防ぐために、摩擦力が高い複数の滑り止め部１２が設けられる。基板１０の他方の両辺には、波状を呈して対称に配置された複数の位置規制バンプ１３及び接続凹溝１４が形成される。２つの側板１１の一辺には、位置規制バンプ１３に対応するように縦向きに形成された２つの係合凸部１５が設けられる。２つの側板１１の他辺には、接続凹溝１４に対応するように縦向きに形成された２つの係合凹部１６が設けられる。２つの係合凸部１５の外縁には、第１の位置決めフランジ１７が設けられる（図８のＲ部分の拡大図を参照）。２つの係合凹部１６の外縁には、２つの第２の位置決めフランジ１８が設けられ（図８のＲ部分の拡大図を参照）、互いに隣接する基板１０と側板１１とを突合わせると、第１の位置決めフランジ１７が２つの第２の位置決めフランジ１８間に位置決めされて互いに係合し合う状態となり、横方向で基板１０と側板１１とが外れることを防ぎ、２つの係合凹部１６は、基板１０の内側面に形成された２つの弧状面１９に対応する。
【００１１】
カバープレート２０と基板１０とのサイズは等しい。カバープレート２０の表面には、その上を通る者が滑って転ぶことを防ぐために摩擦力を高める複数の滑り止め部２１が設けられる。カバープレート２０の両辺には、２つの側板１１に対応するように横向きに配置された２つの結合凹溝２２が設けられる。カバープレート２０が蓋設されると、２つの結合凹溝２２を利用して２つの側板１１上に結合される。カバープレート２０の表面には、滑り止め部２１が形成される上、表面に格子状に形成された排水孔２３を介して排水溝へ排水される。
【００１２】
アセンブリ３０の４辺の４隅には、垂直に配置された４つの組立ピン３１が設けられる。組立ピン３１の２つの外側辺には、２つの組立凹溝３２が形成される。２つの組立凹溝３２は、２つの側板１１の２つの係合凹部１６を組み合わせて一体化するために用いる。組立ピン３１の２つの内側辺には、ストッパ板４０を組立てるために用いる２つの組立凸リブ３３が設けられる。
【００１３】
ストッパ板４０の両辺には、アセンブリ３０の２つの組立凸リブ３３に対応するように２つの組立凹リブ４１が設けられ、ストッパ板４０の２つの組立凹リブ４１を上から下方向へかけてアセンブリ３０の２つの組立凸リブ３３中に挿設する。
【００１４】
上述した各部材を組み合わせて形成した本考案に係る排水溝を兼備える畦道補強組立構造の実際の操作について、以下説明する。
【００１５】
図１０〜図１２を参照する。図１０は、本考案の一実施形態に係る排水溝を兼備える畦道補強組立構造の排水溝が十字状に形成された状態を示す斜視図である。図１１は、本考案の一実施形態に係る排水溝を兼備える畦道補強組立構造の排水溝が十字状に形成された状態を示す分解斜視図である。図１２は、本考案の一実施形態に係る排水溝を兼備える畦道補強組立構造の排水溝が十字状に形成された状態を示す断面図である。図１０〜図１２に示すように、ユーザは、順次、アセンブリ３０の４つの組立ピン３１の外側辺の４方向で組み合わせた４つの開口が上向きのコ字状基板１０及び側板１１により、組立ピン３１の外側辺の２つの組立凹溝３２を上から下方向へかけて２つの側板１１の２つの係合凹部１６中へ挿入してからストッパ板４０両辺の２つの組立凹リブ４１を上から下方向へかけて内側辺の２つの組立凸リブ３３中へ挿設すると、十字状の排水溝が形成されるとともに、カバープレート２０両辺の２つの結合凹溝２２を２つの側板１１上に結合し、カバープレート２０の表面には、滑り止め部２１が配設される上、表面に格子状に形成された排水孔２３を介して排水溝へ排水してもよい。
【００１６】
図１３を参照する。図１３は、本考案の一実施形態に係る排水溝を兼備える畦道補強組立構造の排水溝がＴ字状に形成された状態を示す斜視図である。図１３に示すように、ユーザは、順次、アセンブリ３０の３つの組立ピン３１の外側辺の３方向で組み合わせた３つの開口が上向きのコ字状基板１０及び側板１１により、組立ピン３１の外側辺の２つの組立凹溝３２を上から下方向へかけて２つの側板１１の２つの係合凹部１６中へ挿入してからストッパ板４０の両辺の２つの組立凹リブ４１を上から下方向へかけて内側辺の２つの組立凸リブ３３中へ挿設すると、Ｔ字状の排水溝が形成されるとともに、カバープレート２０両辺の２つの結合凹溝２２を２つの側板１１上に結合し、カバープレート２０の表面には、滑り止め部２１が設けられる上、格子状に形成された排水孔２３を介して排水溝へ排水してもよい。
【００１７】
図１４を参照する。図１４は、本考案の一実施形態に係る排水溝を兼備える畦道補強組立構造の排水溝がＬ字状に形成された状態を示す斜視図である。図１４に示すように、ユーザは、順次、アセンブリ３０の互いに隣接した２つの組立ピン３１の外側辺の垂直方向で組み合わせた２つの開口が上向きコ字状基板１０及び側板１１により、組立ピン３１の外側辺の２つの組立凹溝３２を上から下方向へかけて２つの側板１１の２つの係合凹部１６中へ挿入してからストッパ板４０両辺の２つの組立凹リブ４１を上から下方向へかけて内側辺の２つの組立凸リブ３３中へ挿設すると、Ｌ字状の排水溝が形成されるとともに、カバープレート２０両辺の２つの結合凹溝２２を２つの側板１１上に結合し、カバープレート２０の表面には、滑り止め部２１が設けられ、格子状に形成された排水孔２３を介して排水溝へ排水してもよい。
【００１８】
図１５を参照する。図１５は、本考案の一実施形態に係る排水溝を兼備える畦道補強組立構造の排水溝が口字状に形成された状態を示す斜視図である。図１５に示すように、ユーザは、順次、４つのアセンブリ３０と、４つの開口が上向きのコ字状基板１０及び側板１１とを組立てる際、組立ピン３１の外側辺の２つの組立凹溝３２を上から下方向へかけて２つの側板１１の２つの係合凹部１６中へ挿入してからストッパ板４０の両辺の２つの組立凹リブ４１を上から下方向へかけて内側辺の２つの組立凸リブ３３中へ挿設すると、口字状の排水溝が形成されるとともに、カバープレート２０両辺の２つの結合凹溝２２を２つの側板１１上に結合し、カバープレート２０の表面には、滑り止め部２１が設けられ、格子状に形成された排水孔２３を介して排水溝へ排水してもよい。
【符号の説明】
【００１９】
１０  基板
１１  側板
１２  滑り止め部
１３  位置規制バンプ
１４  接続凹溝
１５  係合凸部
１６  係合凹部
１７  第１の位置決めフランジ
１８  第２の位置決めフランジ
１９  弧状面
２０  カバープレート
２１  滑り止め部
２２  結合凹溝
２３  排水孔
３０  アセンブリ
３１  組立ピン
３２  組立凹溝
３３  組立凸リブ
４０  ストッパ板
４１  組立凹リブ
【図１】
0003201405.tif 000003
【図２】
0003201405.tif 000004
【図３】
0003201405.tif 000005
【図４】
0003201405.tif 000006
【図５】
0003201405.tif 000007
【図６】
0003201405.tif 000008
【図７】
0003201405.tif 000009
【図８】
0003201405.tif 000010
【図９】
0003201405.tif 000011
【図１０】
0003201405.tif 000012
【図１１】
0003201405.tif 000013
【図１２】
0003201405.tif 000014
【図１３】
0003201405.tif 000015
【図１４】
0003201405.tif 000016
【図１５】
0003201405.tif 000017
【手続補正書】
【提出日】平成27年10月8日(2015.10.8)
【手続補正１】
【補正対象書類名】実用新案登録請求の範囲
【補正対象項目名】請求項６
【補正方法】変更
【補正の内容】
【請求項６】
前記基板の位置規制バンプと前記接続凹溝とは、波状を呈して対称に形成されることを
特徴とする請求項１、２又は３に記載の排水溝を兼備える畦道補強組立構造。
【手続補正２】
【補正対象書類名】実用新案登録請求の範囲
【補正対象項目名】請求項８
【補正方法】変更
【補正の内容】
【請求項８】
前記カバープレートの表面は、格子状に形成された排水孔を有することを特徴とする請
求項２に記載の排水溝を兼備える畦道補強組立構造。